(57)【要約】      （修正有）【課題】収納部に設けられた開口部の外方への露出を簡単に防ぐことができ、かつ十分な収容が可能な携帯用バッグを提供する。【解決手段】外方に開口しうる開口部１１を有する収納部１２と、収納部１２を身体に装着固定させうるベルト部１３とを有する携帯用バッグ１０であって、ベルト部１３と収納部１２との接合部には、収納部１２をベルト長さ方向に沿って反転させ、開口部１１を身体側に配置させうる回転部１４が設けられている。【選択図】図１
0003193157.tif 000002
【実用新案登録請求の範囲】
【請求項１】
外方に開口しうる開口部を有する収納部と、上記収納部を身体に装着固定させうるベルト部とを有する携帯用バッグであって、上記ベルト部と上記収納部との接合部には、上記収納部をベルト長さ方向に沿って反転させ、上記開口部を身体側に配置させうる回転部が設けられていることを特徴とする携帯用バッグ。
【請求項２】
上記収納部は全体略細長箱状に形成され、上記回転部は、上記収納部の長さ方向両端部に設けられていることを特徴とする請求項１記載の携帯用バッグ。
【請求項３】
上記収納部は全体略円筒状に形成され、上記回転部は、上記収納部の長さ方向両端部に設けられていることを特徴とする請求項１記載の携帯用バッグ。
【請求項４】
上記回転部は、上記収納部側に設けられた収納部保持部と、上記ベルト部側に設けられた接合端部と、上記収納部保持部と上記接合端部との間を回転可能に接合する軸部とにより構成されていることを特徴とする請求項２または３記載の携帯用バッグ。
【請求項５】
ウエストポーチであることを特徴とする請求項４記載の携帯用バッグ。
【考案の詳細な説明】
【技術分野】
【０００１】
本考案は、携帯用バッグに関するものである。
【背景技術】
【０００２】
従来、海外旅行等において貨幣、パスポート、各種カード等の持ち物を携行する際には、身に付けた状態で持ち物を出し入れできるワンショルダーバッグやウエストポーチを使用することが多い。
【０００３】
しかし、治安の悪い地域でのワンショルダーバッグやウエストポーチの使用は、スリ等に狙われやすく、盗難の原因となっている。
【０００４】
バッグやポーチの収納部に設けられた開口部が外方に露出して配置されるため、開口部に設けられたファスナー等を簡単に開けられてしまうためである。
【０００５】
このような盗難事態を回避するためには、収納部を裏返して開口部の外方への露出を防止する方法が挙げられる。
【０００６】
しかしながら、開口部を持つ収納部本体のみを裏返した場合には、ベルトに捩れを生じてしまうため、一度バッグやポーチを身体から外してバッグやポーチ全体を裏返す必要があり、大変煩雑であった。
【０００７】
また、開口部の外方への露出を防ぐ他の手段を有するバッグとして、例えば特許文献１には、肩に掛けつつ衣服の内側に装着できるショルダーバッグが提案されている。
【０００８】
しかしながら、下記特許文献１においては、衣服の内側に装着するため、収納部の大きさに制限があるという不具合があった。
【特許文献１】登録実用新案第３０２４８８８号公報
【考案の開示】
【考案が解決しようとする課題】
【０００９】
そこで、本考案は、以上のような従来の要請に基づくものであって、その課題は、収納部に設けられた開口部の外方への露出を簡単に防ぐことができ、かつ十分な収容が可能な携帯用バッグを提供することにある。
【課題を解決するための手段】
【００１０】
上記課題を解決するために、請求項１に記載の考案にあっては、外方に開口しうる開口部を有する収納部と、上記収納部を身体に装着固定させうるベルト部とを有する携帯用バッグであって、上記ベルト部と上記収納部との接合部には、上記収納部をベルト長さ方向に沿って反転させ、上記開口部を身体側に配置させうる回転部が設けられていることを特徴とする。
【００１１】
従って、収納部をベルト長さ方向に沿って反転させ、開口部を身体側に配置させることができる。
【００１２】
請求項２に記載の考案にあっては、上記収納部は全体略細長箱状に形成され、上記回転部は、上記収納部の長さ方向両端部に設けられていることを特徴とする。
【００１３】
従って、全体略細長箱状の収納部を収納部の長さ方向に回転可能とすることができる。
【００１４】
請求項３に記載の考案にあっては、上記収納部は全体略円筒状に形成され、上記回転部は、上記収納部の長さ方向両端部に設けられていることを特徴とする。
【００１５】
従って、全体略円筒状の収納部を収納部の長さ方向に回転可能とすることができる。
【００１６】
請求項４に記載の考案にあっては、上記回転部は、上記収納部側に設けられた収納部保持部と、上記ベルト部側に設けられた接合端部と、上記収納部保持部と上記接合端部との間を回転可能に接合する軸部とにより構成されていることを特徴とする。
【００１７】
従って、収納部とベルトの連結状態を維持したまま、収納部を軸部中心に回転させることができる。
【００１８】
請求項５に記載の考案にあっては、ウエストポーチであることを特徴とする。
【００１９】
従って、ウエストポーチの収納部を回転可能とすることができる。
【考案の効果】
【００２０】
請求項１に記載の携帯用バッグにあっては、収納部をベルト長さ方向に沿って反転させ、開口部を身体側に配置させることができるので、ベルトに捩れを生じることなく開口部を外方から隠すことができる。
【００２１】
請求項２に記載の携帯用バッグにあっては、全体略細長箱状の収納部を収納部の長さ方向に回転可能とすることができるので、全体略細長箱状の回転可能な収納部を有する携帯用バッグを提供することができる。
【００２２】
請求項３に記載の携帯用バッグにあっては、全体略円筒状の収納部を収納部の長さ方向に回転可能とすることができるので、全体略円筒状の回転可能な収納部を有する携帯用バッグを提供することができる。
【００２３】
特に請求項３に記載の携帯用バッグにあっては、請求項１記載の考案の効果に加えて、全体略円筒状の収納部を有しているため、長さ方向に回転させやすいという効果を奏する。
【００２４】
請求項４に記載の携帯用バッグにあっては、収納部とベルトが連結されたまま、収納部を軸部中心に回転させることができるので、携帯用バッグを身体にフィットさせた状態を維持しながら、収納部を回転させ開口部を外方から隠すことができる。
【００２５】
請求項５に記載の携帯用バッグにあっては、ウエストポーチの収納部を回転可能とすることができるので、回転可能な収納部を有するウエストポーチを提供することができる。
【図面の簡単な説明】
【００２６】
【図１】本考案に係る全体略細長箱状に形成された収納部を有する携帯用バッグの一実施の形態において、開口部を外方に向けた状態を示す斜視図である。
【図２】本考案に係る全体略細長箱状に形成された収納部を有する携帯用バッグの一実施の形態において、開口部を身体側に向けた状態を示す斜視図である。
【図３】本考案に係る全体略円筒状に形成された収納部を有する携帯用バッグの一実施の形態において、開口部を外方に向けた状態を示す正面図である。
【図４】本考案に係る携帯用バッグの一実施の形態において、軸部の拡大正面図である。
【図５】本考案に係る全体略細長箱状に形成された収納部を有する携帯用バッグの一実施の形態において、（ａ）開口部を外方に向けた使用状態を示す斜視図、（ｂ）開口部を身体側に向けた使用状態を示す斜視図である。
【考案を実施するための最良の形態】
【００２７】
以下、添付図面に示す実施の形態に基づき、本考案を詳細に説明する。
図１に示すように、本考案の一実施の形態に係る携帯用バッグ１０は、外方に開口しうる開口部１１を有する収納部１２と、上記収納部１２を身体に装着固定させうるベルト部１３とを有する。
【００２８】
また、上記ベルト部１３と上記収納部１２との接合部には、上記収納部１２をベルト長さ方向に沿って反転させ、上記開口部１１を身体側に配置させうる回転部１４が設けられている。
【００２９】
また、本実施の形態において、上記収納部１２は全体略細長箱状に形成され、上記回転部１４は、上記収納部１２の長さ方向両端部に設けられている。
【００３０】
また、図１及び図４に示すように、上記回転部１４は、上記収納部１２側に設けられた収納部保持部１５と、上記ベルト部１３側に設けられた接合端部１６と、上記収納部保持部１５と上記接合端部１６との間を回転可能に接合する軸部１７とにより構成されている。
【００３１】
また、本考案の実施の形態において、上記携帯用バッグ１０は、ウエストポーチとして形成されている。
【００３２】
本実施の形態に係る携帯用バッグ１０の構成について、添付図面を用いてより詳細に説明する。
図１に示すように、上記収納部１２は全体略細長箱状であり、上面部１８と、底面部１９と、一対の側面部２０と、前面部２１と、後面部２２とにより構成されている。
【００３３】
また、上記収納部１２には、上記前面部２１の上辺部に沿って上記開口部１１が設けられている。上記開口部１１は、上記前面部２１の左右方向に沿って設けられた隠しスライドファスナーにより開閉自在に形成されている。
【００３４】
また、上記収納部１２には、図１及び図２に示すように前面ポケット部２３と後面ポケット部２４とが上記収納部１２と、夫々、独立して形成されている。
上記前面ポケット部２３は、上記前面部２１の下辺部に沿って開口部２５を有している。上記開口部２５は、上記前面部２１の左右方向に沿って設けられたスライドファスナーにより開閉自在に形成されている。
【００３５】
上記後面ポケット部２４は、図２に示すように、上記後面部２２の上辺部に沿って開口部２６を有している。上記開口部２６は、上記後面部２２の左右方向に沿って設けられたスライドファスナーにより開閉自在に形成されている。
【００３６】
また、上記ベルト部１３は、所定の幅寸法を有するベルト２７と、着脱ファスナー部２８と、長さ調節部２９とにより構成されている。
上記着脱ファスナー部２８は、係止凸部３０及び係止凹部３１により構成されており、上記ベルト２７を着脱可能に身体に固定できるよう着脱可能に形成されている。
上記長さ調節部２９は、中棹（図示せず）の両側に上記ベルト２７が挿通しうる通し孔（図示せず）を備えた平面横長日の字状に形成されている。
【００３７】
図４に示すように、本実施の形態にあっては、上記回転部１４を構成する軸部１７は、相互に相対回転する一対のリング状部材により構成されている。
上記リング状部材は、側面長円状のリング部３３と、上記リング部３３、３３を互いに回転可能に接合する軸部１７とからなる。上記リング状部材は合成樹脂により形成されており、上記収納部保持部１５を構成する保持片３４が一方のリング部３３に掛けまわされて上記収納部１２に縫合固定されていると共に、ベルト２７側の長さ方向両端部における一対の接合端部１６が他方のリング部３３に掛けまわされて縫合固定されている。
上記軸部１７は、一方のリング部３３の長辺部の長さ方向中間部に突設された回転軸部３５と、他方のリング部３３の長さ方向中間部において回転軸部３５が回転可能に挿通固定されている軸固定部３６とからなる。
その結果、上記収納部保持部１５と上記ベルト２７とは、一対のリング部３３、３３の軸部１７を介して互いに相対回転するように構成されている。
【００３８】
図３に示す本実施の形態に係る携帯用バッグ３７の構成については、上記携帯用バッグ１０との相違点のみ詳細に説明する。
図３に示すように、上記収納部１２は全体略円筒状であり、前面部３８と、後面部３９とにより構成されている。上記前面部３８は平面形状が横長の略楕円形に形成され、上記後面部３９は上記前面部３８と同形に形成されている。上記前面部３８の上端部及び下端部は上記後面部３９の上端部及び下端部に、夫々、接続されている。
また、上記収納部１２は、上記前面部３８の高さ方向中央部に沿って上記開口部１１が設けられている。上記開口部１１は、上記前面部３８の左右方向に沿って設けられたスライドファスナーにより開閉自在に形成されている。
【００３９】
本実施の形態に係る携帯用バッグ１０の作用について、添付図面を用いて説明する。
図５は本考案に係る全体略細長箱状に形成された収納部１２を有する携帯用バッグ１０の使用状態を示す斜視図である。
ウエストポーチである上記携帯用バッグ１０は、上記収納部１２を使用者の腹付近に位置させ、背中側で上記ベルト部１３に設けられた着脱ファスナー部２８の係止凸部３０と係止凹部３１を係合させることにより、使用者の胴回りに装着させることができる。
【００４０】
この際、図５（ａ）に示すように、上記開口部１１が設けられた上記前面部２１を外方に向けて装着することで、上記収納部１２への物の出し入れが容易となる。
【００４１】
本考案に係る携帯用バッグ１０においては、上記収納部１２をベルト長さ方向に沿って回転させると、上記収納部１２に設けられた上記収納部保持部１５、１５が同期して回転する。
この際、上記収納部保持部１５、１５と上記ベルト２７とは、一対のリング部３３の軸部１７を介して互いに相対回転するため、上記ベルト部１３は回転せずに使用者の胴回りに固定された状態が維持される。
従って、ウエストポーチである上記携帯用バッグ１０を身体にフィットさせた状態を維持しながら、ベルト２７に捩れを生じることなく上記収納部１２を回転させ、上記開口部１１を外方から隠すことができる。
【００４２】
本考案に係る全体略円筒状の収納部を有する携帯用バッグ３７にあっては、上記携帯用バッグ１０の効果に加えて、上記収納部１２は全体略円筒形状を有しているため、ベルト長さ方向に回転させやすいという効果も奏する。
【００４３】
また、図５（ａ）に示すように、上記開口部１１は上記前面部２１の上辺部に設けられているため、図５（ｂ）に示す反転動作後は上記開口部１１が身体側の下部に位置することになり、上記開口部１１を外方から隠すことができる。
さらに、上記開口部１１は、隠しスライドファスナーによって形成されているため、上記開口部１１の露出を確実に防止することができる。
【００４４】
また、上記前面部２１の下辺部に開口部２５を設けた上記前面ポケット部２３は、図５（ｂ）に示す回転動作後の状態において、上記開口部２５が身体側の上部に位置することになり、上記携帯用バッグ１０を身につけたまま小物を入れることができる。
【００４５】
また、上記後面部２２の上辺部に開口部２６を設けた上記後面ポケット部２４は、図５（ｂ）に示す回転動作後の状態において、上記開口部２６が外方の上部に位置することになり、上記携帯用バッグ１０を身につけたまま小物を入れることができる。
【００４６】
本実施の形態に係る回転部１４は、上記収納部１２側に設けられた上記収納部保持部１５と、上記ベルト部１３側に設けられた上記接合端部１６と、上記収納部保持部１５と上記接合端部１６との間を回転可能に接合する軸部１７とにより構成されている場合を例に説明したが、上記構成に限定されず、上記収納部１２が上記ベルト部１３のベルト長さ方向に沿って反転させ、上記開口部１１を身体側に配置させうるように構成されていればよい。
【００４７】
また、本実施の形態に係る収納部１２は、全体略細長箱状に形成されている場合と全体略円筒状に形成されている場合とを、夫々、例に説明したが、上記構成に限定されず、他の形状であってもよい。
【００４８】
また、本実施の形態に係る携帯用バッグ１０は、ウエストポーチである場合を例に説明したが、上記構成に限定されず、ワンショルダーバッグ等の携帯用バッグであってもよい。
【産業上の利用可能性】
【００４９】
本考案は、ウエストポーチ等の携帯用バッグに広く適用可能であり、産業上利用可能性を有している。
【符号の説明】
【００５０】
１０：全体略細長箱状の収納部を有する携帯用バッグ
１１：開口部
１２：収納部
１３：ベルト部
１４：回転部
１５：収納部保持部
１６：接合端部
１７：軸部
１８：上面部
１９：底面部
２０：側面部
２１：前面部
２２：後面部
２３：前面ポケット部
２４：後面ポケット部
２５：前面ポケット部の開口部
２６：後面ポケット部の開口部
２７：ベルト
２８：着脱ファスナー部
２９：長さ調節部
３０：係止凸部
３１：係止凹部
３３：リング部
３４：保持片
３５：回転軸部
３６：軸固定部
３７：全体略円筒状の収納部を有する携帯用バッグ
３８：前面部
３９：後面部
【図１】
0003193157.tif 000003
【図２】
0003193157.tif 000004
【図３】
0003193157.tif 000005
【図４】
0003193157.tif 000006
【図５】
0003193157.tif 000007